(57)【要約】【課題】ハウジング内部での電線同士の電気的接続を容易としたコネクタを提供する。【解決手段】コネクタハウジングと、該コネクタハウジング内に収容されて複数の電線Ｗと個別に接続される導電性を有する複数のインナー部１３〜１５と、コネクタハウジング内に収容され、インナー部１３〜１５のそれぞれに一体に設けられてインナー部１３〜１５同士を電気的に接続する導通部としての貫通孔２４及び嵌合突起２５と、を有する。【選択図】図２
2018133310.tif 000002
【特許請求の範囲】
【請求項１】
コネクタハウジングと、
前記コネクタハウジング内に収容されて複数の電線と個別に接続される導電性を有する複数の電線接続部と、
前記コネクタハウジング内に収容され、前記電線接続部のそれぞれに一体に設けられて前記電線接続部同士を電気的に接続する導通部と、
を備えたことを特徴とするコネクタ。
【請求項２】
請求項１に記載のコネクタにおいて、
前記導通部は、前記電線接続部に設けられた突起と、前記電線接続部に設けられた貫通孔とを有し、各電線接続部に設けられた突起が他の電線接続部に設けられた貫通孔に嵌合されて前記電線接続部同士を電気的に接続することを特徴とするコネクタ。
【請求項３】
請求項２に記載のコネクタにおいて、
前記突起は、四角柱状であり、前記貫通孔の開口形状が四角状をなすことを特徴とするコネクタ。
【請求項４】
請求項２又は３に記載のコネクタにおいて、
前記電線接続部は、前記突起を前記貫通孔に挿通した状態で該挿通方向において他の電線接続部と面接触する当接面を有することを特徴とするコネクタ。
【請求項５】
請求項１に記載のコネクタにおいて、
前記導通部は、前記複数の電線接続部のそれぞれに対向配置される２つの鉤状係止片を有し、該鉤状係止片が他の電線接続部に設けられた鉤状係止片に嵌合されて前記電線接続部同士を電気的に接続することを特徴とするコネクタ。
【請求項６】
コネクタハウジングと、
前記コネクタハウジング内に収容されて複数の電線と個別に接続される導電性を有する複数の電線接続部と、
前記電線接続部と別体であって、前記複数の電線接続部のそれぞれに設けられた嵌合部に跨って嵌合されて前記電線接続部同士を接続する被嵌合部と、
を備え、
前記被嵌合部は、前記電線接続部の嵌合部とスナップフィット構造により嵌合されることを特徴とするコネクタ。
【発明の詳細な説明】
【技術分野】
【０００１】
本発明は、コネクタに関するものである。
【背景技術】
【０００２】
従来、電線等の端部に取り付けられるコネクタが知られている（特許文献１参照）。
コネクタは、複数の電線（信号線含む）がコネクタハウジング内に挿通されて外部機器等と電気的な接続が可能となっている。
【先行技術文献】
【特許文献】
【０００３】
【特許文献１】特開２０１６−２０１２３５号公報
【発明の概要】
【発明が解決しようとする課題】
【０００４】
ところで、上記のようなコネクタにおいて、複数の電線に個別に接続された電線接続部（例えば端子）をコネクタハウジング内に挿通して各電線接続部同士をコネクタハウジング内で電気的に接続することが考えられる。そして、ハウジング内部での電線同士の電気的接続を容易としたコネクタが望まれている。
【０００５】
本発明は、上記課題を解決するためになされたものであって、その目的は、ハウジング内部での電線同士の電気的接続を容易としたコネクタを提供することにある。
【課題を解決するための手段】
【０００６】
上記課題を解決するコネクタは、コネクタハウジングと、前記コネクタハウジング内に収容されて複数の電線と個別に接続される導電性を有する複数の電線接続部と、前記コネクタハウジング内に収容され、前記電線接続部のそれぞれに一体に設けられて前記電線接続部同士を電気的に接続する導通部と、を備える。
【０００７】
この構成によれば、電線接続部のそれぞれに一体に設けられた導通部によって電線接続部同士を電気的に接続するため、別体の部材等を用いる必要がないため、電線同士の電気的接続を容易とすることができる。
【０００８】
上記コネクタにおいて、前記導通部は、前記電線接続部に設けられた突起と、前記電線接続部に設けられた貫通孔とを有し、各電線接続部に設けられた突起が他の電線接続部に設けられた貫通孔に嵌合されて前記電線接続部同士を電気的に接続することが好ましい。
【０００９】
この構成によれば、電線接続部に設けられた突起が他の電線接続部に設けられた貫通孔に嵌合されて前記電線接続部同士を電気的に接続することができる。また、各電線接続部のそれぞれに突起及び貫通孔を有する構成として電線接続部の形状を共通とすることができるため、電線の本数に応じて任意に変更することができ、利便性向上に寄与する。
【００１０】
上記コネクタにおいて、前記突起は、四角柱状であり、前記貫通孔の開口形状が四角状をなすことが好ましい。
この構成によれば、四角柱状の突起を開口形状が四角状をなす貫通孔に挿通することで、突起の中心軸周りの回り止めを行うことができる。
【００１１】
上記コネクタにおいて、前記電線接続部は、前記突起を前記貫通孔に挿通した状態で該挿通方向において他の電線接続部と面接触する当接面を有することが好ましい。
この構成によれば、電線接続部同士を当接面で面接触することができるため、前記導通部による電気的接続だけに限らず、面接触させることでより確実に電気的接続を行うことができる。
【００１２】
上記コネクタにおいて、前記導通部は、前記複数の電線接続部のそれぞれに対向配置される２つの鉤状係止片を有し、該鉤状係止片が他の電線接続部に設けられた鉤状係止片に嵌合されて前記電線接続部同士を電気的に接続することが好ましい。
【００１３】
この構成によれば、導通部は、複数の電線接続部のそれぞれに対向配置される２つの鉤状係止片を有し、該鉤状係止片が他の電線接続部に設けられた鉤状係止片に嵌合されて電線接続部同士を電気的に接続することができる。
【００１４】
上記課題を解決するコネクタは、コネクタハウジングと、前記コネクタハウジング内に収容されて複数の電線と個別に接続される導電性を有する複数の電線接続部と、前記電線接続部と別体であって、前記複数の電線接続部のそれぞれに設けられた嵌合部に跨って嵌合されて前記電線接続部同士を接続する被嵌合部と、を備え、前記被嵌合部は、前記電線接続部の嵌合部とスナップフィット構造により嵌合される。
【００１５】
この構成によれば、スナップフィット構造により被嵌合部と嵌合部とが嵌合されるため、電線同士の電気的接続を容易とすることができる。
【発明の効果】
【００１６】
本発明のコネクタによれば、ハウジング内部での電線同士の電気的接続を容易とする。
【図面の簡単な説明】
【００１７】
【図１】第１実施形態のコネクタの概略構成図。
【図２】同形態のコネクタのインナー体の上面図。
【図３】同形態のコネクタのインナー部の上面図。
【図４】図３の４−４断面図。
【図５】図２の５−５断面図。
【図６】第２実施形態のコネクタのインナー体の上面図。
【図７】同形態のコネクタの断面図。
【図８】第３実施形態のコネクタのインナー体の上面図。
【図９】同形態のコネクタのインナー部の上面図。
【図１０】同形態のコネクタの導通パイプを示す上面図。
【図１１】（ａ）（ｂ）はインナー部と導通パイプとの接続方法について説明するための説明図。
【発明を実施するための形態】
【００１８】
［第１実施形態］
以下、コネクタの第１実施形態について、図面に従って説明する。なお、各図面では、説明の便宜上、構成の一部を誇張又は簡略化して示す場合がある。また、各部分の寸法比率についても、実際と異なる場合がある。
【００１９】
図１に示すように、コネクタ１０は、コネクタハウジング１１と、コネクタハウジング１１内に収容される２つのインナー体１２とを有する。
コネクタハウジング１１は、樹脂製であって、前記インナー体１２を挿通可能なキャビティを有する。
【００２０】
図２〜図５に示すように、各インナー体１２は、第１インナー部１３と、第２インナー部１４と、第３インナー部１５とを有する。一方のインナー体１２の各インナー部１３〜１５には、同極（例えば正極）の電線Ｗが接続されている。他方のインナー体１２の各インナー部１３〜１５には、一方のインナー体１２に接続される電線Ｗとは異なる極性（例えば負極）の電線Ｗが接続されている。各インナー部１３〜１５は、電線接続部に相当する。
【００２１】
図２〜図５に示すように、各インナー部１３〜１５は、導電性を有し同一構成をなす。各インナー部１３〜１５は、第１板部２１と、第２板部２２とを有し、第１板部２１の一部と第２板部２２の一部とを重ね合わせた形状を有する。つまり、第１板部２１と第２板部２２との間には各板部２１，２２の厚み分の段差を有する構成となっている。また、第１板部２１と第２板部２２とは、その板厚が同一となるように構成される。
【００２２】
図２〜図５に示すように、第１板部２１には、バレル部２３と貫通孔２４とを有する。バレル部２３は、電線Ｗをかしめ（圧着）固定するものである。本構成のバレル部２３は、オープンバレル構造を示しているがクローズドバレル構造であってもよい。
【００２３】
貫通孔２４は、第１板部２１の一方の主面２１ａから他方の主面２１ｂにかけて貫通するように形成される。つまり、貫通孔２４の長さは第１板部２１の厚さ（板厚）と略同一である。また、貫通孔２４は、開口形状が四角状をなす。
【００２４】
図２〜図５に示すように、第２板部２２には、他のインナー部１３〜１５の貫通孔２４に嵌合する嵌合突起２５を有する。嵌合突起２５は、第２板部２２の一方の主面２２ａから該主面２２ａと略直交する方向に延出するように設けられる四角柱状をなす突起である。嵌合突起２５の先端面２５ａは、第１板部２１の一方の主面２１ａと略同位置まで延出するように構成される。
【００２５】
ここで、前述したように嵌合突起２５は、四角柱状をなす突起である。そして、貫通孔２４は、その開口形状が四角状をなす。このため、第１板部２１の貫通孔２４に他のインナー部１３〜１５の第２板部２２の嵌合突起２５が挿通されることで貫通孔２４と嵌合突起２５とが嵌合突起２５の中心軸周りの回り止めが図られている。
【００２６】
また、各インナー部１３〜１５は、自身の貫通孔２４に他のインナー部１３〜１５の嵌合突起２５が軽圧入（嵌合）されて接触することで電気的に接続されている。本例の場合、第１インナー部１３の嵌合突起２５が第２インナー部１４の貫通孔２４に挿通され、第２インナー部１４の嵌合突起２５が第３インナー部１５の貫通孔２４に挿通されている。また、第１インナー部１３の貫通孔２４には他のインナー部１４,１５の嵌合突起２５が挿通されておらず、第３インナー部１５の嵌合突起２５は、他のインナー部１３,１４の貫通孔２４に挿通されていない。各インナー部１３〜１５は、自身の貫通孔２４に他のインナー部１３〜１５が軽圧入されることで嵌合状態（挿通した状態）を保持している。
【００２７】
また、各インナー部１３〜１５は、嵌合突起２５を他のインナー部１３〜１５の貫通孔２４に挿通した状態で当雪面としての第１板部２１の主面２１ｂと他のインナー部１３〜１５の当雪面としての第２板部２２の主面２２ａとが面接触するようになっている。本例の場合、第１インナー部１３の第２板部２２の一方の主面２２ａと、第２インナー部１４の第１板部２１の他方の主面２１ｂとが面接触する。そして、第２インナー部１４の第２板部２２の一方の主面２２ａと、第３インナー部１５の第１板部２１の他方の主面２１ｂとが面接触する。
【００２８】
次に、本実施形態の作用について説明する。
本実施形態のコネクタ１０では、コネクタハウジング１１の内部に２つのインナー体１２が設けられ、一方のインナー体１２に正極の電線Ｗが接続され、他方のインナー体１２に負極の電線Ｗが接続される。インナー体１２の各インナー部１３〜１５は、自身に設けられた嵌合突起２５及び貫通孔２４が他のインナー部１３〜１５の貫通孔２４及び嵌合突起２５と嵌合することで電気的接続が図られている。
【００２９】
次に、本実施形態の効果を記載する。
（１）各インナー部１３〜１５のそれぞれに一体に設けられた導通部としての嵌合突起２５及び貫通孔２４によって各インナー部１３〜１５同士を電気的に接続するため、別体の部材等を用いる必要がない。このため、各インナー部１３〜１５に接続される電線Ｗ同士も電気的接続が図られて、電線Ｗ同士の電気的接続を容易とすることができる。
【００３０】
（２）各インナー部１３〜１５のそれぞれに嵌合突起２５及び貫通孔２４を有する構成として各インナー部１３〜１５の形状を共通とすることができるため、電線Ｗの本数に応じてインナー部の数も任意に変更することができ、利便性向上に寄与する。
【００３１】
（３）四角柱状の嵌合突起２５を開口形状が四角状をなす貫通孔２４に挿通することで、嵌合突起２５の中心軸周りの回り止めを行うことができる。
（４）各インナー部１３〜１５同士を当接面としての主面２１ｂ，２２ａで面接触することができるため、前記嵌合突起２５及び貫通孔２４による電気的接続だけに限らず、面接触させることでより確実に電気的接続を行うことができる。
【００３２】
［第２実施形態］
以下に、コネクタの第２実施形態について、図面に従って説明する。なお、図面では、説明の便宜上、構成の一部を誇張又は簡略化して示す場合がある。また、各部分の寸法比率についても、実際と異なる場合がある。また、本実施形態において、上記第１実施形態と同様の構成については、同一の符号を付して、その詳細な説明の一部又は全部を省略する。
【００３３】
本実施形態のコネクタ１０のインナー体１２は、第１実施形態同様に第１インナー部１３と、第２インナー部１４と、第３インナー部１５とを有する。
図６及び図７に示すように、各インナー部１３〜１５は、板部３１と、該板部３１の一方の主面３１ａに設けられるバレル部３２と、板部３１の他方の主面３１ｂに設けられる嵌合部３３とを有する。
【００３４】
嵌合部３３は、板部３１の他方の主面３１ｂにおいて鉤状をなす２つの鉤状係止片３４，３５を有する。各鉤状係止片３４，３５は、板部３１の中心を通る仮想線を基準とした線対称形状をなすように形成される。
【００３５】
各鉤状係止片３４，３５は、板部３１の他方の主面３１ｂから該主面３１ｂと略直交する方向に延出する第１延出部４１と、第１延出部４１の先端部から第１延出部４１と直交する方向であって他方の係止片３４，３５と近接する方向に延出する第２延出部４２と、第２延出部４２の先端部から板部３１（主面３１ｂ）に近接する方向に延出する第３延出部４３とを有する。
【００３６】
本例の場合、第１延出部４１と第３延出部４３とは略平行に延び、第１延出部４１と第３延出部４３との離間距離は、第１延出部４１及び第３延出部４３の厚さと略同じに設定される。また、第３延出部４３の先端部と板部３１の主面３１ｂとの離間距離は、第２延出部４２の厚さと略同じに設定される。
【００３７】
そして、第１インナー部１３の鉤状係止片３５と第２インナー部１４の鉤状係止片３５とが嵌合し、第２インナー部１４の鉤状係止片３４と第３インナー部１５の鉤状係止片３４とが嵌合するようになっている。各鉤状係止片３４，３５とを嵌合させる際の組み付け方法としては、各インナー部１３〜１５の主面３１ｂの面方向であって各鉤状係止片３４，３５が対向する方向と直交する方向（図６において上下方向、図７において紙面直交方向）に相対的にスライドさせることで嵌合することが可能となっている。このとき、第２インナー部１４は第１インナー部１３と第３インナー部１５とを裏返しした配置となっている。本例の場合、第１インナー部１３の鉤状係止片３５と第２インナー部１４の鉤状係止片３５とが嵌合している場合に、第１インナー部１３のバレル部３２側の主面３１ａと、第２インナー部１４のバレル部３２側の主面３１ａは逆方向を向くように配置されている。同様に、第２インナー部１４の鉤状係止片３４と第３インナー部１５の鉤状係止片３４とが嵌合している場合に、第２インナー部１４のバレル部３２側の主面３１ａと、第３インナー部１５のバレル部３２側の主面３１ａは逆方向を向くように配置されている。
【００３８】
次に、本実施形態の作用について説明する。
本実施形態のコネクタ１０では、コネクタハウジング１１の内部に２つのインナー体１２が設けられ、一方のインナー体１２に正極の電線Ｗが接続され、他方のインナー体１２に負極の電線Ｗが接続される。インナー体１２の各インナー部１３〜１５は、自身に設けられた嵌合部３３の鉤状係止片３４，３５が他のインナー部１３〜１５の鉤状係止片３４，３５と嵌合することで電気的接続が図られている。
【００３９】
上述したコネクタでは、第１実施形態の（１）の効果に加えて以下の効果を奏する。
（３）複数のインナー部１３〜１５のそれぞれに対向配置される２つの鉤状係止片３４，３５を有し、該鉤状係止片３４，３５が他の電線接続部に設けられた鉤状係止片３４，３５に嵌合されてインナー部１３〜１５同士を電気的に接続することができる。
【００４０】
（４）対向する鉤状係止片３４，３５を線対称形状とすることで、インナー部１３〜１５の組み付け性を向上できる。
［第３実施形態］
以下に、コネクタの第３実施形態について、図面に従って説明する。なお、図面では、説明の便宜上、構成の一部を誇張又は簡略化して示す場合がある。また、各部分の寸法比率についても、実際と異なる場合がある。また、本実施形態において、上記第１実施形態と同様の構成については、同一の符号を付して、その詳細な説明の一部又は全部を省略する。
【００４１】
本実施形態のコネクタのインナー体１２は、第１インナー部１３と、第２インナー部１４と、第３インナー部１５と、各インナー部１３〜１５を電気的に接続する接続部６０とを有する。第１インナー部１３、第２インナー部１４、第３インナー部１５及び接続部６０はそれぞれ別体品である。
【００４２】
各インナー部１３〜１５は、板部５１と、板部５１の一方の主面５１ａに一端側に設けられたバレル部５２と、板部５１の一方の主面５１ａの他端側に設けられた嵌合部５３とを有する。
【００４３】
図８，図９及び図１１（ａ）（ｂ）に示すように、嵌合部５３は、第１係止片５４と、第２係止片５５とを有する。第１係止片５４と第２係止片５５との間にはスリット５６が設けられる。第１係止片５４及び第２係止片５５は、前記板部５１から連続するようにロール状をなし、各係止片５４，５５と板部５１（主面５１ａ）との間に隙間５７が設けられる。この隙間５７は、後述する接続部６０の本体部６１の直径よりも狭くなっている。
【００４４】
図８、図１０及び図１１（ａ）（ｂ）に示すように、接続部６０は、一方向に長い略円柱状をなす本体部６１と、本体部６１の長手方向において所定間隔毎に長手方向と略直交する方向に延出する延出部６２とを有する。接続部６０は、本体部６１が嵌合部５３の内部に嵌合される被嵌合部である。
【００４５】
図１１（ａ）（ｂ）に示すように接続部６０の本体部６１は、嵌合部５３の内部に嵌合された状態で各係止片５４，５５の内周面５４ａ，５５ａと当接して電気的に接続された状態となっている。
【００４６】
また、接続部６０は、本体部６１が嵌合部５３の内部に嵌合された状態で、第１係止片５４と第２係止片５５との間のスリット５６に延出部６２が嵌合されるようになっている。このため、本体部６１の長手方向において接続部６０と各インナー部１３〜１５とが相対的に移動しようとした場合に延出部６２が第１係止片５４又は第２係止片５５と当接することとなり、接続部６０と各インナー部１３〜１５との長手方向における位置ズレが抑えられている。
【００４７】
上記のように構成された各インナー部１３〜１５及び接続部６０は、次のようにして組み付けられる。
図１１（ａ）に示すように接続部６０の本体部６１を自身の直径よりも小さな隙間５７に挿通すると、嵌合部５３の各係止片５４，５５の先端側は一時的に弾性変形する（図示略）。そして、図１１（ｂ）に示すように本体部６１が隙間５７を通り抜けて嵌合部５３内部に嵌合されると、各係止片５４，５５が弾性復帰して元の形状となる。すなわち、本例ではインナー部１３〜１５と接続部６０とは、弾性変形を利用して抜け止めが行われるスナップフィット構造である。
【００４８】
次に、本実施形態の効果を記載する。
（７）スナップフィット構造により被嵌合部としての接続部６０（本体部６１）と嵌合部５３とが嵌合されることで各インナー部１３〜１５同士が接続部６０を介して電気的に接続される。その結果、電線Ｗ同士が電気的に接続される。このように簡素なスナップフィット構造によって、電線Ｗ同士の電気的接続を容易とすることができる。
【００４９】
なお、上記各実施形態は、以下のように変更してもよい。
・上記各実施形態では、コネクタハウジング１１内に複数のインナー体１２を設け、各インナー体１２に接続される電線Ｗの極性を異なるようにしたが、これに限らない。例えば、１つのコネクタハウジングに１つインナー体１２を設けインナー体１２に接続される場合に同極のみの電線Ｗとし、この組合せを２つ用いて極性の異なるコネクタを提供するようにしてもよい。
【００５０】
・上記各実施形態では、各インナー部１３〜１５の全てが電気的に接続される構成としたが、これに限らない。例えば、インナー部１３，１４のみを電気的に接続してもよい。
・上記各実施形態では、１つのインナー体１２に対して３つのインナー部１３〜１５を有する構成としたが、その数は適宜変更してもよい。
【００５１】
・上記第１実施形態では、嵌合突起２５が嵌合される対象を貫通孔２４としたが、窪み等であってもよい。
・上記第１実施形態では、嵌合突起２５を四角柱状とし、貫通孔２４の開口形状を四角形状としたが、これに限らない。嵌合突起２５を四角柱以外の柱状（例えば円柱状や他の多角柱状）とし、貫通孔２４の開口形状を嵌合突起２５と対応する形状としてもよい。
【００５２】
・上記第１実施形態では、各インナー部１３〜１５は、自身の貫通孔２４に他のインナー部１３〜１５が軽圧入されることで嵌合状態（挿通した状態）を保持する構成としたが、他の保持構造を採用してもよい。
【００５３】
・上記各実施形態並びに各変形例は適宜組み合わせてもよい。
【符号の説明】
【００５４】
１０…コネクタ
１１…コネクタハウジング
１３〜１５…インナー部（電線接続部）
２１ｂ，２２ａ…主面（当接面）
２４…導通部を構成する貫通孔
２５…導通部を構成する嵌合突起（突起）
３４，３５…導通部を構成する鉤状係止片
５３…嵌合部
６０…接続部（被嵌合部）
Ｗ…電線
【図１】
2018133310.tif 000003
【図２】
2018133310.tif 000004
【図３】
2018133310.tif 000005
【図４】
2018133310.tif 000006
【図５】
2018133310.tif 000007
【図６】
2018133310.tif 000008
【図７】
2018133310.tif 000009
【図８】
2018133310.tif 000010
【図９】
2018133310.tif 000011
【図１０】
2018133310.tif 000012
【図１１】
2018133310.tif 000013